(57)【要約】【課題】複数の部材を組み合わせて構成される筐体を用いる電子機器において、部材間の隙間を狭くして、外観の見栄えを良くする。【解決手段】シャーシと、シャーシの上方に固定されるトップカバーと、シャーシおよびトップカバーの前面に固定されるフロントカバーと、を備えた電子機器であって、トップカバーは、フロントカバーの内部に端部を挿入させた状態で、シャーシに固定され、フロントカバーは、裏面から伸びて、シャーシに固定されるベース部と、ベース部の側部から上に向けて出て、トップカバーの端部を固定する固定片と、を有する。【選択図】図３
2015207583.tif 000002
【特許請求の範囲】
【請求項１】
シャーシと、前記シャーシの上方に固定されるトップカバーと、前記シャーシの前方に固定されるフロントカバーと、を備えた電子機器であって、
前記トップカバーは、前記フロントカバーの内部に端部を挿入させた状態で、前記シャーシに固定され、
前記フロントカバーは、裏面から伸びて、前記シャーシに固定されるベース部と、
前記ベース部の側部から上に向けて出て、前記トップカバーの端部を固定する固定片と、を有することを特徴とする電子機器。
【請求項２】
前記トップカバーの先端部には、下方向に出る段差部を有し、
前記固定片は、上下方向にバネ性を有しており、前記トップカバーの前記段差部に嵌ることで、前記トップカバーの端部を固定する、ことを特徴とする請求項１に記載の電子機器。
【請求項３】
前記固定片は、少なくとも前部または後部のいずれかの端がテーパー形状となっている、ことを特徴とする請求項１または請求項２のいずれかに記載の電子機器。
【請求項４】
前記シャーシは、上方に伸びる固定用突部を備え、
前記フロントカバーは、前記ベース部を貫通する固定穴を有し、前記固定用突部が前記固定穴に挿入して、前記シャーシに固定される、ことを特徴とする請求項１から請求項３のいずれか一項に記載の電子機器。
【請求項５】
前記ベース部は、前後方向に伸びるリブが形成されている、ことを特徴とする請求項４に記載の電子機器。
【請求項６】
前記トップカバーは、前記固定片の上部が挿入する開口部が形成されている、ことを特徴とする請求項１から請求項５のいずれ一項に記載の電子機器。
【発明の詳細な説明】
【技術分野】
【０００１】
本発明は、フロントカバーを備える筐体を有する電子機器に関する。
【背景技術】
【０００２】
電子機器などの装置では、特定の機能を果たすハードウェアを筐体に収容している。また、複数の部材を組み合わせて１つの筐体を構成する装置が開示されている（例えば、特許文献１参照）。
【０００３】
また、本体部と、この本体部の前面側を構成するフロントカバーと、で筐体を構成した装置が開示されている（例えば、特許文献２参照。）。
【先行技術文献】
【特許文献】
【０００４】
【特許文献１】国際公開番号  ＷＯ２０１０  １１３２３５
【特許文献２】特開２００７−１８０２７８号公報
【発明の概要】
【発明が解決しようとする課題】
【０００５】
筐体をシャーシと、フロントカバーと、シャーシの上側に固定されるトップカバーとで構成する装置が知られている。このような構成の筐体では、フロントカバーとトップカバーとの間に隙間が生じることがある。例えば、シャーシ、フロントカバー、およびトップカバーの部品のばらつきが大きいと、フロントカバーとトップカバーとの隙間が大きくなり、製品の外観の見栄えが悪くなる。
【０００６】
本発明は、上記課題にかんがみてなされたもので、複数の部材を組み合わせて構成される筐体を用いる電子機器において、部材間の隙間を狭くして、外観の見栄えを良くした電子機器の提供を目的とする。
【課題を解決するための手段】
【０００７】
・適用例１
上記課題を解決するために、本発明の一態様では、シャーシと、前記シャーシの上方に固定されるトップカバーと、前記シャーシの前方に固定されるフロントカバーと、を備えた電子機器であって、前記トップカバーは、前記フロントカバーの内部に端部を挿入させた状態で、前記シャーシに固定され、前記フロントカバーは、裏面から伸びて、前記シャーシに固定されるベース部と、前記ベース部の側部から上に向けて出て、前記トップカバーの端部を固定する固定片と、を有する。
【０００８】
上記のように構成された発明では、トップカバーは、フロントカバーの内部に端部を挿入させた状態で、シャーシに固定されている。また、フロントカバーは、シャーシに固定されるベース部から上に向けて出る固定片を介してトップカバーの端部を固定している。
そのため、固定片によりトップカバーをフロントカバーに固定することで、フロントカバーとトップカバーとの間に生じる隙間を狭くして、製品の外観を良くすることができる。
【０００９】
・適用例２
本発明の一態様では、前記トップカバーの先端部には、下方向に出る段差部を有し、前記固定片は、上下方向にバネ性を有しており、前記トップカバーの前記段差部に嵌ることで、前記トップカバーの端部を固定する。
上記のように構成された発明では、固定片が段差部をフロントカバー側に押し付けるため、トップカバーとフロントカバーとの隙間をより狭くすることができる。
【００１０】
・適用例３
本発明の一態様では、前記固定片は、少なくとも前部または後部のいずれかの端がテーパー形状となっている。
上記のように構成された発明では、トップカバーをフロントカバーに固定し易くすることができる。
【００１１】
・適用例４
本発明の一態様では、前記シャーシは、上方に伸びる固定用突部を備え、前記フロントカバーは、前記ベース部を貫通する固定穴を有し、前記固定用突部が前記固定穴に挿入して、前記シャーシに固定される。
上記のように構成された発明では、フロントカバーとシャーシとの固定をより簡易な構成で行うことができる。
【００１２】
・適用例５
本発明の一態様では、前記ベース部は、前後方向に伸びるリブが形成されている。
上記のように構成された発明では、リブによりベース部は撓みが生じないためフロントカバーをシャーシに強固に固定することができる。
【００１３】
・適用例６
本発明の一態様では、前記トップカバーは、前記固定片の上部が挿入する開口部が形成されている。
上記のように構成された発明では、開口部から固定片を押下げることで、トップカバーを取外し易くすることができる。その結果、製品のメンテナンス等をし易くすることができる。
【図面の簡単な説明】
【００１４】
【図１】電子機器の外観を示す斜視図。
【図２】筐体８０を分解して示す分解図。
【図３】筐体９０の内部を示す断面図。
【図４】固定部を示す斜視図。
【図５】筐体９０の組み立て工程を示す工程図。
【図６】第２の実施形態にかかる筐体９０の各部の位置関係を示す断面図。
【発明を実施するための形態】
【００１５】
以下、下記の順序に従って本発明の実施形態を説明する。
１．第１の実施形態：
（１）電子機器の構成
（２）固定部の構成
（３）組み立て方法
２．第２の実施形態：
３．第３の実施形態：
４．その他の実施形態：
【００１６】
１．第１の実施形態
（１）電子機器の構成
図１は、電子機器の外観を示す斜視図である。また、図２は、筐体９０を分解して示す分解図である。また、図３は、筐体９０の内部を示す断面図である。この第１の実施形態では、電子機器として、レコーダー１を例に説明を行う。
以下の説明では、レコーダー１の前後方向をＸ方向とし、幅方向をＹ方向とし、高さ方向をＺ方向として記載する。また、Ｘ方向において前方をＸ１側、後方をＸ２側とする。そして、Ｙ方向において、レコーダー１を前方から見た場合の左方向をＹ１側、右方向をＹ２側とする。さらに、Ｚ方向の上方をＺ１側、下方をＺ２側とも記載する。
【００１７】
図１−図３に示すレコーダー１は、箱状の筐体９０と、筐体９０の内部に配置されたディスク駆動部８０と、筐体９０の内部に配置された図示しない制御基板とを備えている。筐体９０は、幅方向（Ｙ方向）が前後方向（Ｘ方向）よりも長くなるように形成されているが、これに限定されるものではない。
【００１８】
筐体９０は、シャーシ１０と、このシャーシの上方に固定されるトップカバー２０と、シャーシ１０の前方（Ｘ１側）に固定されるフロントカバー３０と、を備える。なお、シャーシ１０の後部（Ｘ２側）にフロントカバー３０と対向するようリアカバー（図示しない）を備えるものであってもよい。
【００１９】
シャーシ１０は、図２に示すように、ディスク駆動部８０を載置するための底部１１と、底部１１の幅方向（Ｙ方向）の両端部に底部１１に一体的に形成された側壁部１２、１３とを有している。例えば、シャーシ１０は、金属性の板を曲げ加工して底部１１、側壁部１２、１３が形成されているが、これに限定されず、樹脂により一体で成形するものであってもよい。
【００２０】
シャーシ１０の幅方向の図中右端（Ｙ１側）には、ディスク駆動部８０の一部であるドライブシャーシ８１が取り付けられている。図３では、ドライブシャーシ８１の側壁８２には、トップカバー２０を固定するための固定用突部１００が形成されている。例えば、固定用突部１００は、ドライブシャーシ８１の側壁８２と一体となって形成されている。さらに、シャーシ１０の底部１１の前方側（Ｘ１側側）には、底部１１の内表面から外表面に向かって下方向（Ｚ２側）に突出する３つの突起部（図示しない）が設けられている。
【００２１】
トップカバー２０は、図２に示すように、シャーシ１０を上方から覆う天面部２１と、天面部２１の幅方向（Ｙ方向）の両端から下方（Ｚ２側）に曲げ加工された側面部２２とを有している。また、天面部２１の前方（Ｘ１側）の端部には、フロントカバー３０に挿入する挿入部２００が設けられている。例えば、トップカバー２０は、金属性の板を曲げ加工して天面部２１、側面部２２、挿入部２００が形成されているが、これに限定されず、樹脂により一体で成形するものであってもよい。
【００２２】
挿入部２００の後方（Ｘ２側）には、下側（Ｚ２側）に出る段差部２１０が形成されている。図３では、段差部２１０の先端（Ｘ１側）は、フロントカバー３０の厚み分だけ下方（Ｚ２側）に段差を設けており、段差部２１０の一段下がった先端に挿入部２００が形成されている。
なお、側面部２２の前方側（Ｘ１側側）には、トップカバー２０をシャーシ１０に取り付けるためのねじ部材を挿入するねじ孔が形成されている。
【００２３】
フロントカバー３０は、複数の操作ボタン部およびディスクトレー扉が設けられた前面部３１と、前面部３１の外周部に沿って形成された筒状の胴部３２と、胴部３２よりも後方（Ｘ２側）に突出する壁部３３、３４と、を備える。
フロントカバー３０は、樹脂を用いて前面部３１、胴部３２および壁部３３、３４が、一体的に形成されている。これ以外にも、フロントカバー３０を樹脂により一体で成形するものであってもよい。
【００２４】
胴部３２は、前面部３１から後方（Ｘ２側）に向かって延びるように形成されている。胴部３２には、フロントカバー３０をシャーシ１０とトップカバー２０とに固定するための固定部３００と、フロントカバー３０をシャーシ１０に固定するための３つの突出片３５が形成されている（図２、図３）。例えば、突出片３５は、薄板形状を有し、胴部３２の下部に一体的に形成されている。また、３つの突出片３５の各々には、略中央部に矩形形状の穴部が形成されている。３つの突出片３５は、シャーシ１０の底部１１に設けられた３つの突起部（図示しない）に対応するように配置されている。
【００２５】
（２）固定部の構成
図４は、固定部を示す斜視図である。固定部３００は、フロントカバー３０の胴部３２の裏面から後方（Ｘ２側）に伸びるよう一体的に形成されている。また、固定部３００は、フロントカバー３０の裏面から伸びるベース部３１０と、ベース部３１０の側部から上（Ｚ１側）に向けて出る固定片３２２と、を有する。
【００２６】
図４に示すベース部３１０は、フロントカバー３０から後方（Ｘ２側）に伸びた薄板形状である。また、ベース部３１０は、上下方向（Ｚ方向）に貫通してシャーシ１０（ドライブシャーシ８１）の固定用突部１００が挿入する固定穴３１１が形成されている。また、ベース部３１０は、Ｘ方向に伸びたリブ３１２が形成されており、Ｘ、Ｙ空間において撓みが生じにくいようになっている。
【００２７】
そして、ベース部３１０の幅方向（Ｙ方向）の両端には、このベース部３１０に対して上に向けて出る固定片３２２が形成されている。図４に示す固定片３２２は、ベース部３１０の幅方向（Ｙ方向）の両端から延びるヒンジ部３２１の端から上方向（Ｘ方向）に伸びている。ここで、ヒンジ部３２１は、ベース部３１０に対して上下方向（Ｚ方向）にバネ性を有しており、固定片３２２を上下方向（Ｚ方向）に撓ませる。
【００２８】
さらに、図４に示す固定片３２２は、Ｘ方向での端部３２２ａ、３２２ｂがそれぞれ傾斜状（テーパー形状）になっている。また、固定片３２２における後端側（Ｘ２側）の端部３２２ａの斜面は、先端側（Ｘ１側）の端部３２２ｂの斜面と比べて長くなっている。
【００２９】
（３）組み立て方法
次に、シャーシ１０、トップカバー２０、フロントカバー３０の組み立て方法を説明する。図５は、筐体９０の組み立て工程を示す工程図である。図５（ａ）は、シャーシ１０とフロントカバー３０を組み付けた場合の断面図を示す。また、図５（ｂ）は、トップカバー２０をシャーシ１０の上方から装着する際の断面図を示す。また、図５（ｃ）は、トップカバー２０を、シャーシ１０とフロントカバー３０とに組み付けた状態の断面図を示す。
【００３０】
まず、図５（ａ）に示すように、フロントカバー３０を、シャーシ１０の前方（Ｘ１側側）に固定する。このとき、フロントカバー３０の３つの突出片３５をそれぞれシャーシ１０の３つの突起部に係合させる。そして、フロントカバー３０のベース部３１０の固定穴３１１に、ドライブシャーシ８１に設けられた固定用突部１００を挿入して、フロントカバー３０をシャーシ１０に固定する。この後、図示しないリアプレートをシャーシ１０に取り付ける。
【００３１】
次に、トップカバー２０をシャーシ１０およびフロントカバー３０に取り付ける。すなわち、図５（ｂ）に示すように、トップカバー２０の挿入部２００をフロントカバー３０の胴部３２内に挿入する。このとき、挿入部２００の胴部３２への挿入にともなって、挿入部２００が固定部３００の固定片３２２を下方（Ｚ２側）に押下げる。また、固定片３２２の端３２２ａが傾斜状（テーパー形状）になっているため、挿入部２００の挿入量に応じて、固定片３２２の押下げ量が多くなる。
【００３２】
そして、図５（ｃ）に示すように、トップカバー２０の挿入部２００が固定片３２２を乗り越えることで、固定片３２２が上方（Ｚ１側）に戻り、段差部２１０の裏面側に固定片３２２の端部（Ｘ１側の端）が接する。すなわち、段差部２１０と固定片３２２とが嵌る。このとき、トップカバー２０は、フロントカバー３０の固定部３００により前方（Ｘ１側）に引き寄せられるため、トップカバー２０の天面部２１の先端と、フロントカバー３０の胴部３２の後端との隙間Ｃをより狭くすることができる。
【００３３】
そして、外側からねじ部材をトップカバー２０のねじ孔、フロントカバー３０の開口部を介してシャーシ１０の開口部に挿入することによってトップカバー２０をシャーシ１０に固定する。
【００３４】
以上説明したようにこの第１の実施形態では、トップカバー２０は、フロントカバー３０の内部に端部を挿入させた状態で、シャーシ１０に固定されている。また、フロントカバー３０は、シャーシ１０に固定されるベース部３１０から上に向けて出る固定片３２２を介してトップカバー２０の端部を固定している。
そのため、固定片３２２によりトップカバー２０をフロントカバー３０に固定することで、フロントカバー３０とトップカバー２０との間に生じる隙間を狭くして、製品の外観を良くすることができる。
【００３５】
また、固定片３２２が段差部２１０をフロントカバー３２側に押し付けるため、トップカバー２０とフロントカバー３０との隙間をより狭くすることができる。
【００３６】
そして、固定片３２２の少なくとも前部または後部のいずれかの端がテーパー形状となっているため、トップカバー２０の端部をフロントカバー３０に挿入し易くなる。また、トップカバー２０をフロントカバー３０から取り外しし易くなる。そのため、作業性を向上させることができる。
【００３７】
さらに、フロントカバー３０は、固定用突部１００がベース部３１０の固定穴３１１に挿入して、シャーシ１０に固定されるため、フロントカバー３０とシャーシ１０との固定をより簡易な構成で行うことができる。
【００３８】
また、ベース部３１０は、方向に伸びるリブ３１２が形成されているため、ベース部３１０は撓みを生じさせず、フロントカバー３０をシャーシ１０に強固に固定することができる。
【００３９】
２．第２の実施形態：
この第２の実施形態では、固定部３００とトップカバー２０との固定構造が他の実施形態と異なる。
【００４０】
図６は、第２の実施形態にかかる筐体９０を構成する各部の位置関係を示す断面図である。図６に示すトップカバー２０は、天面部２１を貫通する開口部２１ａが形成されている。天面部２１の開口部２１ａには、固定部３００の固定片３２２の上部３２０ａが挿入している。
【００４１】
このような構成の電子機器１において、トップカバー２０を取外す際、ユーザは、開口部２１ａに挿入している固定片３２２の上部３２０ａを押下げつつ、トップカバー２０を後方（Ｘ２側）に引き抜く。すなわち、ユーザが固定片３２２を押下げることでヒンジ部３２１（図４）が下方（Ｚ２側）に撓み、固定片３２２とトップカバー２０の挿入部２００との固定が解除される。この状態で、トップカバー２０を後方（Ｘ２側）に引き抜きトップカバー２０をシャーシ１０から取外すことができる。
また、筐体９０の組み付け時では、シール部材等によりトップカバー２０の開口部２１ａを密閉しておくことで、外観の劣化を抑制することができる。
【００４２】
以上説明したようにこの第２の実施形態では、第１の実施形態で奏する効果に加えて以下の効果を奏する。すなわち、開口部２１ａから固定片３２２を押下げることで、トップカバー２０を取外し易くすることができる。その結果、製品のメンテナンス等をし易くすることができる。
【００４３】
３．第３の実施形態：
この第３の実施形態では、固定片の形状が他の実施形態と比べて異なる。
すなわち、固定片は、Ｘ方向の略中心において上方（Ｚ方向）に出る突形状となっている。そのため、トップカバー２０の段差部２１０がこの固定片の突部とかかわることで、トップカバー２０をフロントカバー３０に固定する。
また、固定片の形状は、先端がテーパー状に形成されているものに限定されず、テーパー状に形成されていなくともよい。
【００４４】
上記のように構成された発明では、固定片と段差部２１０との係合を強固なものとすることができ、トップカバー２０をフロントカバー３０に強固に固定することができる。
【００４５】
４．その他の実施形態：
本発明は、様々な変形例が存在する。
電子機器をレコーダーとしたことは一例に過ぎず、筐体をシャーシ、トップカバー、フロントカバーとで構成するものであれば、表示装置、音声出力機器、ＰＣ等どのような装置であってもよい。
【００４６】
また、シャーシから上に伸びる固定用突部は、ドライブシャーシに形成されるものに限定されない。例えば、シャーシに一体で形成されるものやドライブシャーシ以外の部材により別体で形成されるものであってもよい。
【００４７】
固定部３００の形状は上記した形状に限定されず、トップカバーやシャーシを固定するものであればどのようなものであってもよい。
また、ベース部３１０にリブ３１２が形成されていることは一例に過ぎず、ベース部３１０にリブ３１２がないものであってもよい。
【００４８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４９】
１…レコーダー、１０…シャーシ、１１…底部、１２、１３…側壁部、２０…トップカバー、２１…天面部、２１ａ…開口部、２２…側面部、２２…側面、３０…フロントカバー、３１…前面部、３２…胴部、３３、３４…壁部、３５…突出片、８０…ディスク駆動部、８１…ドライブシャーシ、８２…側壁、９０…筐体、１００…固定用突部、２００…挿入部、２１０…段差部、３００…固定部、３１０…ベース部、３１１…固定穴、３１２…リブ、３２１…ヒンジ部、３２２…固定片
【図１】
2015207583.tif 000003
【図２】
2015207583.tif 000004
【図３】
2015207583.tif 000005
【図４】
2015207583.tif 000006
【図５】
2015207583.tif 000007
【図６】
2015207583.tif 000008